(57)【要約】【課題】  装置等の所定の部位への取付物の取り付け、取り外しを容易に行うことができる取付物の着脱方法を提供すること。【解決手段】  磁性材料からなる略Ｕ字状の取付治具６と固定具Ｍの永久磁石２とで磁気閉回路を形成して、取付治具６と固定具Ｍとともに取付物を装置等の取付部の所定の位置に取り付けるようにした。また、取付治具６を永久磁石２に対し相対的に移動させて取付治具６を永久磁石２から取り外し、永久磁石２の取付部への吸着力により取付物を取り付けるようにした。【選択図】図１
2006035327.tif 000002
【特許請求の範囲】
【請求項１】
永久磁石を使用して取付物を取付部の所定の部位に取り付ける方法であって、
磁性材料からなる略Ｕ字状の取付治具を用意し、該取付治具と永久磁石とで磁気閉回路を形成して取付物を取付部に取り付け、取付治具を永久磁石に対し相対的に移動させることにより磁気閉回路を開放して取付治具を永久磁石から取り外し、永久磁石の取付部への吸着力により取付物を取り付けるようにしたことを特徴とする取付物の取付方法。
【請求項２】
取付治具を永久磁石に対し回転あるいは平行移動させることにより磁気閉回路を開放するようにしたことを特徴とする請求項１に記載の取付物の取付方法。
【請求項３】
永久磁石を使用して取付部の所定の位置に取り付けられた取付物を取り外す方法であって、
磁性材料からなる略Ｕ字状の取外し治具を用意し、該取外し治具と永久磁石とで磁気閉回路を形成して取外し治具と永久磁石を一体的に取り外し、取付物を取付部から取り外すようにしたことを特徴とする取付物の取外し方法。
【発明の詳細な説明】
【技術分野】
【０００１】
本発明は、永久磁石を使用して装置等の所定の部位に部品あるいは治具等の取付物を取り付け、取り外しを行う取付物の着脱方法に関する。
【背景技術】
【０００２】
一つの装置を使用して形状の異なる複数の製品、半製品あるいは部品を製造するに際し、複数の装置部品あるいは治具等の取付物を代わる代わる使用して目的とする物を製造していた。この場合、一つの取付物をボルト等により一時的に所定の部位に取り付けて所定の加工あるいは作業を行った後、その取付物を取り外し、さら別の取付物を前記所定の部位に取り付けて所定の加工あるいは作業を行っていた。
【０００３】
したがって、複数の取付物を頻繁に取り替える必要がある場合、その着脱作業は面倒であるばかりでなく、時間のかかる作業であった。
【０００４】
そこで、永久磁石を使用して取付物を取付部の所定の位置に取り付けることも考えられる。この方法は、ボルト等による取り付けと違い、所定の部位にボルト孔を形成する必要がなく、取付物の着脱を短時間に行うことができる。
【発明の開示】
【発明が解決しようとする課題】
【０００５】
しかしながら、永久磁石を使用して取付物を取付部に取り付けるに際し、取付物が所定の位置から移動しないほどの強力な永久磁石を使用する必要があり、その取り付け、取り外しは容易ではなかった。
【０００６】
本発明は、従来技術の有するこのような問題点に鑑みてなされたものであり、装置等の所定の部位への取付物の取り付け、取り外しを容易に行うことができる取付物の着脱方法を提供することを目的としている。
【課題を解決するための手段】
【０００７】
上記目的を達成するために、本発明のうちで請求項１に記載の発明は、永久磁石を使用して取付物を取付部の所定の部位に取り付ける方法であって、磁性材料からなる略Ｕ字状の取付治具を用意し、該取付治具と永久磁石とで磁気閉回路を形成して取付物を取付部に取り付け、取付治具を永久磁石に対し相対的に移動させることにより磁気閉回路を開放して取付治具を永久磁石から取り外し、永久磁石の取付部への吸着力により取付物を取り付けるようにしたことを特徴とする。
【０００８】
また、請求項２に記載の発明は、取付治具を永久磁石に対し回転あるいは平行移動させることにより磁気閉回路を開放するようにしたことを特徴とする。
【０００９】
さらに、請求項３に記載の発明は、永久磁石を使用して取付部の所定の位置に取り付けられた取付物を取り外す方法であって、磁性材料からなる略Ｕ字状の取外し治具を用意し、該取外し治具と永久磁石とで磁気閉回路を形成して取外し治具と永久磁石を一体的に取り外し、取付物を取付部から取り外すようにしたことを特徴とする。
【発明の効果】
【００１０】
本発明によれば、磁性材料からなる略Ｕ字状の取付治具と永久磁石とで磁気閉回路を形成して取付物を取付部の所定の位置に取り付けるようにしたので、永久磁石から取付部側に漏れる磁束が減少して取付部に対する永久磁石の吸着力が弱められ、取付部の所定の位置への取付物の取り付けを容易に行うことができる。また、取付治具の永久磁石からの取り外しに際し、取付治具を永久磁石に対し相対的に移動させるようにしたので、永久磁石から取付部に向かって漏れる磁束が増大し、永久磁石の取付部に対する吸着力が増大する一方、取付治具との吸着力が弱められ、取付治具を永久磁石から容易に取り外すことができる。
【００１１】
また、取付物を取付部から取り外すに際し、磁性材料からなる略Ｕ字状の取外し治具と永久磁石とで磁気閉回路を形成するようにしたので、永久磁石から取付部に向かって漏れる磁束が減少して取付部に対する永久磁石の吸着力が弱められ、取付部から永久磁石及び取付物を容易に取り外すことができる。
【発明を実施するための最良の形態】
【００１２】
以下、本発明の実施の形態について、図面を参照しながら説明する。
図１及び図２は、本発明にかかる取付物の着脱方法を示しており、図１は装置等の所定の部位への取付物（図示せず）の取り付け時の動作を示す一方、図２は取付部の所定の部位から取付物を取り外す時の動作を示している。
【００１３】
図１に示される例においては、取付物を取付部の所定の部位に固定するための固定具Ｍは、略矩形の永久磁石２と、永久磁石２の両側に一体的に取り付けられた磁性体４により構成されており、固定具Ｍは全体として略Ｕ字状の磁石ユニットを構成している。この固定具Ｍを使用して、取付物は装置等の所定の位置に取り付けられるが、取付部と固定具Ｍ間の吸引力により所定の位置への取付物の取り付けは容易ではない。
【００１４】
そこで、本発明においては、磁性材料からなる略Ｕ字状の着脱治具（取付治具及び取外し治具）６を用意し、取付部に対する固定具Ｍの取付面の反対側の面に着脱治具６を取り付けるようにしている。
【００１５】
すなわち、図１（ａ）に示されるように、着脱治具６の脚部６ａの先端面を固定具Ｍの磁性体４の背面に取り付けると、永久磁石２と着脱治具６とで磁気閉回路が形成される。その結果、固定具Ｍの下部（取付部側）から漏れる磁束が減少するので、取付部に対する永久磁石２の吸着力が弱められ、取付部への取付物及び固定具Ｍの取り付けを容易に行うことができる。取付物を固定具Ｍ及び着脱治具６とともに取付部に取り付けた後、図１（ｂ）に示されるように、着脱治具６を固定具Ｍに対し所定の角度回転させると、固定具Ｍの下部から漏れる磁束が増大し、取付部に対する吸着力が増大する一方、着脱治具６との吸着力が弱められるので、着脱治具６を固定具Ｍから容易に取り外すことが可能となり、図１（ｃ）に示されるように、固定具Ｍによる取付物の取り付けが完了する。
【００１６】
なお、図１（ｂ）においては、着脱治具６を固定具Ｍに対し約９０度回転させることにより着脱治具６を固定具Ｍから取り外すようにしたが、回転角度は４５度であってもよく、回転角度は特に限定されるものではない。また、着脱治具６を固定具Ｍに対し平行移動させることにより着脱治具６を固定具Ｍから取り外すこともできる。
【００１７】
逆に、取付部から取付物を固定具Ｍとともに取り外す場合、図２に示されるように、着脱治具６の脚部６ａの先端面を固定具Ｍの磁性体４の背面に取り付けると、永久磁石２と着脱治具６とで磁気閉回路が形成される。その結果、固定具Ｍの下部（取付部側）から漏れる磁束が減少するので、取付部に対する永久磁石４の吸着力が弱められ、取付部からの取付物及び固定具Ｍの取り外しを容易に行うことができる。
【産業上の利用可能性】
【００１８】
本発明にかかる取付物の着脱方法によれば、装置等の所定の位置への取付物の着脱が容易に行えるので、永久磁石を使用して装置等の所定の部位に部品あるいは治具等の取付物を取り付けたり、取り外したりする場合に特に有用である。
【図面の簡単な説明】
【００１９】
【図１】本発明にかかる取付物の取付方法を示す斜視図であり、（ａ）は固定具の永久磁石と着脱治具とで磁気閉回路を形成した状態を、（ｂ）は取付物を固定具により所定の位置に取り付けた後、着脱治具を回転した状態を、（ｃ）は固定具から着脱治具を取り外した状態をそれぞれ示している。
【図２】取付物とともに所定の位置に取り付けられた固定具に着脱治具を吸着させて固定具を取付部から取り外すときの状態を示す斜視図である。
【符号の説明】
【００２０】
２    永久磁石、
４    磁性体、
６    着脱治具、
６ａ  着脱治具の脚部、
Ｍ    固定具。
【図１】
2006035327.tif 000003
【図２】
2006035327.tif 000004